(57)【特許請求の範囲】
【請求項１】
フロント部の両側に折畳み可能に取付けられるツルにおいて、該ツルの先端には耳の外輪又は外輪内側にある窪みに係合するパット等の係合部を備え、該ツルは長さ調整機構を備え、又ツル先端に屈曲又は湾曲して撓み変形に優れた弾性材で構成したアームを設け、そしてアーム先端に上記係合部を取付けたことを特徴とするメガネフレームのツル。
【請求項２】
少なくともコイルバネで構成したアームの領域をシールして髪の引掛かりを防止した請求項１記載のメガネフレームのツル。
【請求項３】
上記パット等の係合部をアーム先端に形成した取付けリングに遊嵌して向きを変更可能とした請求項１、又は請求項２記載のメガネフレームのツル。
【発明の詳細な説明】
【０００１】
【発明の属する技術分野】
本発明はメガネを顔に掛ける場合に、フロント部は鼻当てパットを介して鼻で支持され、またフロント部から延びるツルは耳に掛けられるが、本発明は耳外輪内側にある窪みに係合することが出来るメガネフレームのツルに関するものである。
【０００２】
【従来の技術】
メガネはフロント部と該フロント部の両側に取付けられているツルから成り、該ツルは蝶番等の継手を介して折畳むことが出来る。フロント部の形態は色々あって、一般的には、両リムを連結部材にて連結すると共にリム外側にはヨロイをロウ付けして構成している。又、リムとして上側半分のハーフリムを使用し、レンズ下側は水糸にて保持するタイプのフロント部もある。更には、リムを用いることなく両レンズを連結部材の両側に直接ネジ止めすると共に、レンズ外側にはヨロイを直接ネジ止めして構成する縁なしメガネも多用されている。
【０００３】
そして、これら各フロント部には鼻の甲に当たって支持される鼻当てパットが取付けられ、フロント部の両側から延びるツルは顔側面から耳に達し、ツル先端部に挿着している概略Ｌ形のモダンが耳に係止することが出来るように成っている。このように、メガネはフロント部とツルとで顔に安定して掛けることが出来る。
【０００４】
顔に掛けたメガネが位置ズレしないように、勿論、顔から外れないように色々な工夫が成され、鼻の甲に当ってフロント部が支持される鼻当てパットの材質として柔らかいシリコン樹脂を使用して、滑らないように又肌当りを良好ならしめている。又モダンの内側にもシリコン樹脂層を設けたり、細かい凹凸面とするなどの工夫が行なわれている。
【０００５】
ところで、新聞や雑誌を読む際に一時的に掛ける老眼鏡の場合、フロント部をコンパクトにしたメガネが好まれる場合が多い。これは、携帯が便利な為でもあり、又新聞、雑誌を一時的に読む際に大きなレンズをフロント部に嵌める必要性も少ない。このように、フロント部のサイズを小さくしても、該フロント部から耳に係止するように延びるツルの長さを短くすることは出来ず、従来のメガネフレームの形態では、メガネ全体としてのサイズをコンパクト化することは不可能である。
【０００６】
そこで、ツルを短くして先端にパットを取付けたツル形態が知られ、該パットは耳外輪の窪みに係合することが出来る。従って、ツルを折畳んだ際には全体が非常にコンパクト化して携帯に便利である。このような短いツルを備えたメガネとして、例えば実開平４−５０８１８号に係る「眼鏡のつる」が知られている。該ツルの自由端部には人体の耳凹所に係合し得る係合部が形成されている。
【０００７】
しかし、人の耳の形状は千差万別であり、ツルの自由先端部に係合部を形成しても、該係合部が耳外輪内の窪み（凹所）に係合し難い場合が多い。無理に係合すれば痛みを感じ、時には外れ落ちる場合もある。同公報にはツル全体をスプリングで構成している具体例も説明されているが、スプリングから成るツルでは全体が撓み変形して、窪みに係合する際の係合圧が小さ過ぎてメガネを掛けた際のフィット感が得られなく、メガネが外れ易い。
【０００８】
【発明が解決しようとする課題】
このように、短いツルを備えた従来のメガネフレームには上記のごとき問題がある。本発明が解決しようとする課題はこの問題点であり、ツルを短くして耳の窪みに係合する係合部を先端に設けたものであるが、如何なる形状の耳であっても痛みを感じることなく係合して掛け易いメガネフレームのツルを提供する。ここで、対象とするメガネは老眼鏡に限るものではなく、一般の近眼用メガネやサングラス等も含まれる。
【０００９】
【課題を解決する為の手段】
本発明に係るメガネフレームのツルは、従来のような概略Ｌ形のモダンを挿着せず、耳の外輪又は外輪内側にある窪みに嵌まって係合することが出来る係合部を備えている。しかも、該係合部があらゆる形の耳に合うように次の特徴を備えている。
（１）ツルの長さは調整可能な構造としている。ただし、具体的な調整手段は限  定しないことにするが、耳外輪内側の窪み形態は色々ある為に、任意の窪み  に先端係合部を係合する為に、ツルの長さ調整を可能にしている。
【００１０】
（２）    ツル先端部は屈曲又は湾曲してアームを有し、その先端にパットなどの  係合部を取付けている。そしてアーム部分は弾性変形に優れた材質が用い  られ、その方向を自由に変えることが出来る。すなわち、ツル本体は撓み  変形可能であるが比較的剛く、その先端にて屈曲又は湾曲したアームに弾  性変形に優れた特性を与えることで、係合部は耳の窪みにフィットすると  共に、適度な圧力が付加される。
【００１１】
（３）    係合部の形態は自由であるが、先端に取付けられてその向きを変えるこ  とが出来る。従って、耳の窪みの内側形状に馴染んで係合し得る。
（４）    アームにかけてのツル先端部外周をシールし、メガネを掛けた際に髪が  引っ掛かることを防止している。勿論、髪が引っ掛かることのない先端部  構造となっている場合にはシールの必要はない。
以下、本発明に係る実施例を図面に基づいて詳細に説明する。
【００１２】
【実施例】
図１は本発明に係るツルを備えたメガネフレームを示している平面図である。同図の１はレンズが嵌まるリム、２は連結部材、３はヨロイ、４はツルを表していて、両リム１，１は連結部材２の両サイドにロウ付けされ、リム１，１の外側には上記ヨロイ３，３がロウ付けにて固定されている。そして、ヨロイ３，３の先端に設けている継手５，５を介して上記ツル４，４が折畳み出来るように取付けられている。
【００１３】
ところで、ツル４は基部６に形成している溝に嵌まってネジ７にて固定され、該溝に沿ってスライドすることでその長さは調整することが出来る。勿論、ツル４の長さ調整機構は後述するように他にも色々あって、同図の調整機構は単なる１具体例に過ぎない。そしてツル先端には樹脂製の係合部８が設けられ、該係合部８は耳の外輪内側にある凹状窪みに嵌まって係合する。
【００１４】
該係合部８は概略玉子形をした滑らかな曲面にて構成され、耳の窪みに嵌まって、位置ズレしたり外れないようになる。勿論、該係合部８の形状は上記玉子形に限定するものではなく、痛みを伴うことなく窪みに係合することが出来ればよい。ここで、ツル４の材質は問わないが、従来のメガネフレーム用ツルでよく、係合部８が耳の窪みに嵌まっても痛みを感じないように適度な撓み変形が出来る弾性を備えている。また、弾力性に優れていないツル材質が用いられた場合には、上記継手としてバネ蝶番が使用される。該バネ蝶番とは周知の通り、メガネを掛ける際にツル４を開いた状態から、該ツル４を外方向へ押し開くことが出来るように構成し、係合部８は適度な押圧力にて耳の窪みに嵌まって係合することが出来る。
【００１５】
図１に示す実施例では、ツル先端屈曲部９はツル４と同一線材ではなく、この先端屈曲部９をコイルバネなどの弾性部材で構成し、耳の窪みに係合し易く、又係合力を該先端屈曲部９にて緩和調整する構造と成っている。同図のＡ部拡大図を示しているのが図２である。このように色々な形態があるが、メガネを掛けた際にツル先端に設けているパット１６が耳の窪みに係合し、痛みを伴うことなくフィット可能な形態と成っている。
【００１６】
（ａ）に示しているツル先端部には長さ調整機構を有し、ネジ１３はパイプナット１４に螺合している。そして、概略Ｌ型に屈曲したアーム１５はコイルバネによって構成され、アーム１５の先端にはパット１６が取付けられている。ツル４はその長さ調整可能である為に、パット１６が耳の窪みに係合するように調整される。この状態によって、アーム１５は自由に撓むことが出来る。例えば、パット位置が多少ズレた場合でも、アーム１５の撓み変形によって対処することが可能と成り、耳の窪みに痛みを与えることはない。ここで、パット１６は比較的や柔らかい樹脂を用いたり、又汚れ表面にカバーを被覆することも出来る。
【００１７】
（ｂ）は（ａ）とほぼ同じ形態であるが、ツルに対してのアーム１５の屈曲角を違わせた具体例である。
（ｃ）は（ａ）のツル先端部外周面をシールした場合を示している。メガネを掛けた場合にコイルバネが耳元に位置することで、髪が該コイルバネに引っ掛かかることがある。このような事態を防止する為に先端部をシールしている。シールの方法は限定しないが、チューブを挿入したところで加熱するならば密着することが出来る。
【００１８】
（ｄ）はアーム先端のパット取付け方法を違わせた場合を示し、その他の形態は（ａ）と共通している。パットには２本の脚１７ａ，１７ｂを設けて内側に撓み可能とし、アーム先端の取付けリング１８に押込んで取付出来る。
（ｅ）はアームを円弧状に湾曲している。そしてアーム先端の取付けリング１８に対してパットの向きを変えることが出来るようにしている。すなわち、両脚１７ａ，１７ｂは取付けリング１８との間に隙間を残している。
【００１９】
（ｆ）は上記（ｅ）と同じような形態であるが、パットの取付け構造が僅かに違っているに過ぎない。すなわち、取付けリング１８の一部に切欠き部を設け、該切欠き部からパット１６を嵌めることが出来る形態となっている。
（ｇ）はコイルスバネで構成したアーム先端に軸受け１９を設け、該軸受け１９にパット１６に形成した球状軸２０が嵌っている。従ってパット１６はあらゆる向きに傾くことが出来、耳の窪み形状に係合することが出来る。
【００２０】
図３はツル先端部形態を示す他の実施例である。ツル先端部には長さ調整機構を有し、ネジ１３はパイプナット１４に螺合している。そして、概略Ｌ型に湾曲したアーム１５は弾性変形に優れた材質によって構成され、アーム１５の先端にはパット１６が取付けられている。ツル４はその長さ調整可能である為に、パット１６が耳の窪みに係合するように調整される。この状態によって、アーム１５は自由に撓むことが出来る。さらに該アーム１５はパット位置を微調整がし易いように湾曲部２１を形成している。
【００２１】
図４はツル先端部の別の実施例を示している。アーム１５の先端にはパット１６が取付けられ、前記図２に示した実施例と同じであるが、ツル４の長さ調整機構が違っている。ツル先端部にはパイプ２２が設けられ、該パイプ２２にはパイプナット２３が嵌っている。そして該パイプナット２３にはネジ２４が螺合し、ネジ先端２５は円錐形を成して尖っていて、パイプ底に形成した溝２６に嵌入している。
【００２２】
上記ネジ２４を緩めた状態ではパイプナット２３はパイプ２２に沿って自由に摺動することが出来、アーム１５及びパット１６の位置を変え得る。そして、パット１６が所定の位置に定まったところでネジ２４を締めるならば、先端２５が溝２６に嵌入して外周に拡張し、パイプナット２３はその外径を膨張してパイプ２２に固定される。
【００２３】
図５も本発明の他の実施例であり、ツルの長さ調整機構の別形態である。ツル先端にはパイプ２２を設け、該パイプ２２には軸２７が嵌っていて、軸２７からはアーム１５が湾曲して延び、アーム先端にはパット１６が取付けられている。そして、軸２７の一部には偏芯軸２８が設けられ、該偏芯軸２７にはロックリング２９が外周に取付けられている。
【００２４】
（ａ）の状態ではロックされておらず、軸２７はパイプ２２に沿って軸方向に移動し、パット１６の位置が耳の窪みに係合するように定めることが出来る。定まったところで、軸２７を矢印方向（反時計方向）に回転するならば、偏芯軸２８に嵌っているロックリング２９が同時に回って該軸２７はロックされる。軸２７には偏芯軸２８側へ当り３０ａを延ばし、同じくロックリング２９にも当り３０ｂを有している。そこで、軸２７が回転するならば、当り３０ａがロックリング３０ｂの当り３０ｂに当接して強制的に回されてロックされる。
【００２５】
図１に示すメガネフレームのフロント部は両リム１，１を連結部材２によって連結すると共に、リム外側にはヨロイ３，３をロウ付けして構成しているが、本発明ではこのフロント部の形態は限定しないことにする。例えば、リムを上半分にレンズの一部が嵌まるハーフリムとし、下側を水糸にてレンズを保持する構造とすることも可能である。
【００２６】
また、リムを用いないで両レンズを連結部材によって直接ネジ止めし、そしてレンズ外側にはヨロイを直接ネジ止めする縁なしメガネとして構成する場合もある。何れにしても、フロント部のヨロイにはツルが折畳み出来るように取り付けられる。
【００２７】
図６はパット等の係合部が嵌まって係合する耳１０を表しているが、耳１０の輪郭と成る外輪１１の内側には、対輪との間に凹状の窪み１２があって、該窪み１２にツル先端の係合部８が嵌まり、位置ズレすることなく、勿論、外れるといったこともない。以上述べたように、本発明のメガネフレームのツルはその先端に係合部を有したもので、次のような効果を得ることが出来る。
【００２８】
【発明の効果】
本発明のメガネフレームのツルは、その先端にパット等の係合部を有し、この係合部は耳の外輪又は外輪内側の窪みに嵌まって係合することが出来る。ツルはその長さが調整され、またツル先端から屈曲又は湾曲したアームに係合部を備えている。従って、ツル先端の係合部は耳の窪みに正しく係合し、しかも位置ズレした場合でも弾性材で構成されるアームが変形して該窪みに痛みを与えることもなく、顔に掛けたメガネは安定する。ツルは従来からの材質が用いられ、先端のアームにはコイルバネや超弾性材質が使用されることで、係合部は窪みに正しく係合すると共に、ツルのバネ力にて適度な係合力が作用して掛けることが出来る。
【００２９】
又、係合部はその向きを変えることが出来、しかもシリコン樹脂が用いられるなど、窪みとのフィット感が高く、表面にカバーを取付けることで汚れた場合には交換できる。そして、先端に設けて耳外輪や外輪内側の窪みに係合する係合部までがツル長さとなり、従来のツルに比較して短く、ツルを折畳んだ場合にメガネはコンパクト化する。従って、常に携帯する老眼鏡の場合には、嵩張らない為に持ち運びが便利である。
【図面の簡単な説明】
【図１】本発明に係るツルを備えたメガネフレーム。
【図２】ツル先端部の実施例。
【図３】ツル先端部の実施例。
【図４】ツルの長さ調整機構の具体例。
【図５】ツルの長さ調整機構の具体例。
【図６】耳の外観を表す概略図。
【符号の説明】
１  リム
２  連結部材
３  ヨロイ
４  ツル
５  継手
６  基部
７  ネジ
８  係合部
９  先端屈曲部
１０  耳
１１  外輪
１２  窪み
１３  ネジ
１４  パイプナット
１５  アーム
１６  パット
１７  脚
１８  取付けリング
１９  軸受け
２０  軸
２１  湾曲部
２２  パイプ
２３  パイプナット
２４  ネジ
２５  先端
２６  溝
２７  軸
２８  偏芯軸
２９  ロックリング
３０  当り
【要約】【課題】メガネのフロント部の両側に折畳み可能に取付けられるツルであって、ツルを短くして耳の窪みに係合してメガネを掛けることが出来、しかも如何なる形状の耳であっても痛みを感じることなく係合して掛け易いメガネツルの提供。
【解決手段】該ツル４の先端には耳の外輪又は外輪内側にある窪みに係合するパット１６を備え、該ツル４は長さ調整機構を備え、又ツル先端に屈曲又は湾曲して撓み変形に優れた弾性材で構成したアーム１５を設け、そしてアーム先端に上記パット１６を取付けている。
【選択図】        図２【図１】
0003584378.tif 000002
【図２】
0003584378.tif 000003
【図３】
0003584378.tif 000004
【図４】
0003584378.tif 000005
【図５】
0003584378.tif 000006
【図６】
0003584378.tif 000007